(57)【特許請求の範囲】
【請求項１】
調理物を収納してバーナの燃焼熱により加熱調理するための加熱庫と、
上記加熱庫内の調理物を載置する焼網と、
上記調理物からの焼き脂を受けるように上記焼網の下方に設けられ、上記焼網と共に加熱庫からスライドして出し入れされる受皿とを備え、
上記受皿と上記焼網との間に支点を中心に回動自在に設けられ、上記支点の上方に上記焼網を載置する一方、支点の下方に回転力が作用する回動作用部を有し、上記支点を中心に回動して上記焼網を昇降させる昇降機構と、
上記加熱庫内後部に設けられ、
受皿の押し込み途中で昇降機構の回動作用部と当接し、押し込み力で上記昇降機構を回動させて上記焼網を上昇させる当接部と、
受皿の引き出し途中で昇降機構の回動作用部と係止され、引き出し力で上記昇降機構を焼網の上昇時と逆方向に回動させて上記焼網を下降させる係止部とを有する当接手段を備えたグリルにおいて、
上記当接部に、上記受皿の押し込み途中で当接する回動作用部を上記加熱庫の後部斜め下方向に向けてガイドすることで、回動作用部と当接部との当接衝撃を緩和する衝撃緩和手段を設けたことを特徴とするグリル。
【請求項２】
上記衝撃緩和手段は、回動作用部を加熱庫の後部斜め下方向にガイドした後、上記受皿の押し込み終端位置で、上記回動作用部を受皿の押し込み方向に平行な方向にガイドし、上記焼網位置を上方に保ちながら上記回動作用部に働く回動力を解消させることを特徴とする請求項１記載のグリル。
【発明の詳細な説明】
【０００１】
【発明の属する技術分野】
本発明は、魚等の調理物を加熱するガスグリルに関する。
【０００２】
【従来の技術】
従来より、ガステーブルこんろに設けられるグリルは、図５に示すように、魚等の調理物を載せる焼網２２と、焼網２２を載せたまま手前にスライドさせて引き出す受皿３０と、燃料ガスを燃焼させて調理物を加熱するバーナ４１と、これらを収める加熱庫１０から構成される。
【０００３】
調理物を加熱庫１０に収納した場合に、焼網２２の位置は、加熱庫１０内の内底面から比較的に高い位置にあると、高温雰囲気に調理物が置かれることになるので、単時間で調理物が加熱されるという利点がある。
【０００４】
これに対し、焼網２２の位置が加熱庫１０内の内底面から比較的に低い位置にあると、調理物を載せた受皿３０を加熱庫１０から出し入れする際や、焼網２２上の調理物を裏返す際に、加熱庫１０の入口部上端に調理物や手が接触し難くなり、調理物を扱い易いという利点がある。
しかしながら、焼網２２の位置が加熱庫１０内の高い位置にあると、調理物の厚さが厚い場合には、調理物の出し入れや返しの操作がやり難いという問題があり、一方、焼網２２の位置が加熱庫１０内の低い位置にあると、高温雰囲気から外れた位置に調理物が置かれることになるので、調理に時間がかかることになる。
そこで、本出願人は、受皿の出し入れと連動して焼網２２を昇降させる昇降機構を備えたガスグリルを先に出願した。
この昇降機構は、受皿３０と焼網２２との間に設けられ、受皿３０の出し入れに伴い、支点を中心に回動して焼網２２を昇降させるものである。
【０００５】
【発明が解決しようとする課題】
しかしながら、押し込み力で昇降機構を回動させて焼網を上昇させると、速い押し込み操作をした場合には、押し込み力が回動作用部に衝撃的に働くこととなって、焼網が後方斜め上方に飛び跳ねてしまう問題があった。
焼網が飛び跳ねると、焼網が昇降機構から外れてしまったり、焼網上の調理物がずれたり、落下してしまうおそれがあった。
そこで、本発明のガスグリルは上記課題を解決し、受皿の出し入れに伴って、焼網を確実に昇降させると共に、受皿の押し込み時に、焼網の飛び跳ねを防止することを目的とする。
【０００６】
【課題を解決するための手段】
上記課題を解決する本発明の請求項１記載のガスグリルは、
調理物を収納してバーナの燃焼熱により加熱調理するための加熱庫と、
上記加熱庫内の調理物を載置する焼網と、
上記調理物からの焼き脂を受けるように上記焼網の下方に設けられ、上記焼網と共に加熱庫からスライドして出し入れされる受皿とを備え、
上記受皿と上記焼網との間に支点を中心に回動自在に設けられ、上記支点の上方に上記焼網を載置する一方、支点の下方に回転力が作用する回動作用部を有し、上記支点を中心に回動して上記焼網を昇降させる昇降機構と、
上記加熱庫内後部に設けられ、
受皿の押し込み途中で昇降機構の回動作用部と当接し、押し込み力で上記昇降機構を回動させて上記焼網を上昇させる当接部と、
受皿の引き出し途中で昇降機構の回動作用部と係止され、引き出し力で上記昇降機構を焼網の上昇時と逆方向に回動させて上記焼網を下降させる係止部とを有する当接手段を備えたグリルにおいて、
上記当接部に、上記受皿の押し込み途中で当接する回動作用部を上記加熱庫の後部斜め下方向に向けてガイドすることで、回動作用部と当接部との当接衝撃を緩和する衝撃緩和手段を設けたことを要旨とする。
【０００７】
また、上記課題を解決する本発明の請求項２記載のガスグリルは、請求項１記載のグリルにおいて、
上記衝撃緩和手段は、回動作用部を加熱庫の後部斜め下方向にガイドした後、上記受皿の押し込み終端位置で、上記回動作用部を受皿の押し込み方向に平行な方向にガイドし、上記焼網位置を上方に保ちながら上記回動作用部に働く回動力を解消させることを要旨とする。
【０００８】
上記構成を有する本発明の請求項１記載のガスグリルは、受皿の押し込み途中で、当接手段の当接部が昇降機構の回動作用部に当接し、押し込み力で昇降機構を回動させて焼網を上昇させる。この一方、受皿の引き出し途中で、当接手段の係止部が昇降手段の回動作用部に当接し、引き出し力で昇降機構を、受皿の上昇時の逆方向に回動させて焼網を下降させる。
また、受皿の押し込み時に、当接部または回動作用部に設けた衝撃緩和手段が回動作用部と当接部との当接衝撃を緩和する。
従って、受皿の押し込み時に、焼網を上昇させることができると共に、当接手段が昇降機構の回動作用部に当接する衝撃を吸収するため、焼網の飛び跳ねが防止される。
【０００９】
また、上記構成を有する本発明の請求項２記載のガスグリルは、請求項１記載のグリルにおいて、衝撃緩和手段が、押し込み終端位置で、回動作用部を受皿の押し込み方向に平行にガイドする。このため、回動作用部に働く回動力を解消させる。従って、受皿の押し込み時に、焼網を上昇させることができると共に、終端位置で回動作用部に働く回動力が解消されるため、焼網の飛び跳ねが防止される。
【００１０】
【発明の実施の形態】
以上説明した本発明の構成・作用を一層明らかにするために、以下本発明のガスグリルの好適な実施形態について説明する。
図６は、ガスグリルを備えた後方排気式のテーブルこんろの外観図を示している。
テーブルこんろは、トッププレート３３に２組のこんろバーナ４ａ、４ｂを備え、それらの周囲に設けられたごとく５ａ、５ｂ上に調理鍋（図示せず）を載せ、テーブルこんろの前面に設けられる操作ボタン２１ａ、２１ｂが押されることによりそれぞれのこんろバーナ４ａ、４ｂに点火し、ごとく５上の調理鍋が加熱されるものである。
【００１１】
また、こんろバーナ４ａ、４ｂ間の器体の中心部に、魚等を焼くためのグリル１が設けられ、操作ボタン２１ｃを押して点火し加熱調理が行われる。
グリル１は、図１に示すように、調理物を収納して加熱する加熱庫１０を備え、加熱庫１０内で魚等を加熱調理するものである。
加熱庫１０内には、上方左右に燃料ガスを燃焼させて調理物を加熱する表面燃焼式のバーナ４１と、中間位置に調理物を載せる焼網２０とが設けられ、焼網２０を載せたまま手前にスライドさせて引き出すことができる受皿３０が載置されている。
この受皿３０は、調理物から落下する焼脂を受けるための浅い皿である。
【００１２】
また、加熱庫１０の正面には、受皿３０を手前に引き出す取手１６と、受皿３０を引き出す時に連動して開閉するグリル扉１８とが設けられ、そのグリル扉１８にはガラス製の覗き窓１８ａが設けられる。
このグリル扉１８は、加熱庫１０前部の入口部に回動自在に軸支され、かつ着脱可能に取り付けられ、後述するように、受皿３０の出し入れと連動する連結レバー３５が可動自在に連結され、受皿３０を加熱庫１０から出し入れする際に、連動して開閉されるように設けられる。
【００１３】
バーナ４１は、加熱庫１０の上部左右側面に設けられ、このバーナ４１からの燃焼排ガスを加熱庫１０内にこもらせて調理物を加熱する。
バーナ４１は、多孔質セラミックスの平面プレートに多数の小炎口を貫通させた燃焼面を有する全１次空気式のバーナ４１で、燃焼面は、垂直面に対してやや上方向に傾斜させて設置される。
【００１４】
加熱庫１０の後方には、仕切壁７１を介して並設される排気室６０が設けられ、この仕切壁７１に開口して加熱庫１０と排気室６０とを連通する連通口７０が設けられる。
この連通口７０は、開口部上端が焼網２０における調理物の載置面より少し低い位置となるように設けられる。
また、加熱庫１０の底面には外部空気が進入できる隙間（図略）が設けられている。
【００１５】
焼網２０と受皿３０との間には、図２〜図４に示すように、受皿３０の出し入れに伴って焼網２０の載置面を移動させる昇降機構を設ける。
この昇降機構は、回動力が与えられることにより、回転支点を中心に回動する回動部と、焼網２０の載置面を水平に保ちながら焼網２０を移動させる連結部と、
焼網２０の載置面手前が加熱庫１０入口部１０ａから収納位置までの加熱庫１０内にある場合に限り、受皿３０の位置に応じて回動部を作用させる当接部とからなる。
【００１６】
この回動部は、受皿３０上の前後位置でそれぞれ回動する一対の焼網支持枠６Ａ、６Ｂを備え、これらの焼網支持枠６Ａ、６Ｂ上に焼網２０が載置される。
受皿３０のフランジ面３０ａ左右には、コの字状のベース板３ｂ、３ｂが配置され、ベース板３ｂ、３ｂには、両端部が上方にＬ字形状に曲げられて、焼網支持枠６Ａ、６Ｂを回動自在に支持する立設面３ａ、３ａが形成される。
また、ベース板３ｂ、３ｂの立設面３ａ、３ａを除く全周が下方に折り曲げられて、フランジ面３０ａを前後左右に挟んでこれらのベース板３ｂ、３ｂが位置決めされる。
また、立設面３ａには、焼網支持枠６Ａ、６Ｂの回動中心となる支点切欠孔３ｄと、焼網支持枠６の回動を所定角度に規制するストッパー３ｅ、３ｇと、回動を案内する円孤状のガイド切欠孔３ｃとが形成される。
また、左右のベース板３ｂ、３ｂには、前方位置で左右に橋渡しされた金属棒材３ｊと、受皿３０の押し込み時に後述する固定金具８に当接しないように凹状に回避しながら、後方位置で左右に橋渡しされた金属棒材３ｈとが溶接され、左右のベース板３ｂ、３ｂが所定間隔に固定される。
このように、左右に向い合う立設面３ａを一対として、受皿３０のフランジ面３０ａの前後に、一対づつの立設面３ａが形成される。
【００１７】
左右に向い合う前方の立設面３ａ間には、焼網支持枠６Ａが回動自在に保持され、後方の立設面３ａ間には焼網支持枠６Ｂが同様に保持される。
前方の焼網支持枠６Ａは、上方に凸状に折り曲げられて焼網２０を載せる段部６ｄを左右に形成し、曲げ加工により立設面３ａの外側から支点切欠孔３ｄに挿入され、立設面３ａの内側でコの字状に曲げられ、更に端部が回動案内する回動部６ａとしてガイド切欠孔３ｃに挿入されて一体に形成される。
また、後方の焼網支持枠６Ｂは、回動支点となる回動枠６ｂと、回動案内する下部ガイド枠６ａとからなり、一体に溶接される。
この回動枠６ｂは、上方に凸状に折り曲げられて焼網２０を載せる段部６ｄを左右に形成し、曲げ加工により立設面３ａの外側から回動支点となる支点切欠孔３ｄに挿入され、下部ガイド枠６ａは、回動案内するガイド切欠孔３ｃに挿入されて上方に曲げられ、左右の立設面３ａの外側で回動枠６ｂに溶接される。
また、下部ガイド枠６ａは、左右の立設面３ａ外側の水平部分に連動アーム１５の端部がカーリングされて連結される。
この連動アーム１５の他端は、同様にカーリングされて、前方の焼網支持枠６Ａの端部に連結され、連動アーム１５の外側から抜け止め用の止め輪３８が装着される。
このように、前後の焼網支持枠６Ａ、６Ｂは、左右の連動アーム１５により同じ方向および同じ角度で回動するようにリンクされる。
【００１８】
焼網２０は、金属棒材で形成した矩形枠２０ａに、同じく多数の金属棒材２０ｂ、２０ｂ…を等間隔に溶接したものである。
この焼網２０の四隅には、焼網支持枠６Ａ、６Ｂの段部６ｄに摺動自在に当接する受け部２０ｃが形成され、受け部２０ｃが焼網支持枠６の段部６ｄの外周面に載置されて、焼網２０は段部６ｄにより前後左右に位置決めされる。
【００１９】
加熱庫１０の奥側の左右両壁面下部には、加熱庫１０中間位置から後方壁面に向けて受皿３０の進退方向に延びる長溝孔４０が設けられる。
この長溝孔４０内には軸７が挿通され、その両端部には、鍔部をもったローラ９ｂが遊挿され、ローラ９ｂは、この長溝孔４０内を回転して進退動自在に移動できるように設けられる。
また、軸７は、加熱庫１０内を横切り、加熱庫１０の両外側にグリル扉１８を開閉する左右の連結レバー３５に回動自在に連結され、受皿３０が加熱庫１０に収納されるとローラ９ｂ、９ｂが受皿３０の下方位置になるように設けられる。
この軸７の中央付近には上側に凸状に曲げ形成した当接押部７ａが設けられ、この当接押部７ａは、受皿３０が押し込まれると、受皿３０の後部に当接する位置関係に設けられる。
【００２０】
また、加熱庫１０後壁には、受皿３０の押し込み時に、後方の焼網支持枠６Ｂの下部ガイド枠６ａに当接する固定金具８が設けられる。
この固定金具８には、溶接により後壁に固定される固定部８ａと、受皿３０の押し込み時に後方の焼網支持枠６Ｂの下部ガイド枠６ａに当接して押し込みにつれて焼網支持枠６Ｂを図２の時計方向に回動させて焼網２０を上昇させるテーパ状の当接部８ｂと、押し込み終端付近で下部ガイド枠６ａの回動を止めて水平方向に案内する水平案内部８ｄと、受皿３０の引き出し時に焼網支持枠６Ｂの下部ガイド枠６ａに係止して引き出しにつれて焼網支持枠６Ｂを反時計方向に回動させる係止部８ｃとが形成される。
【００２１】
また、軸７の両端部には、ローラ９ｂ、９ｂの外側にバネ力を連結レバー３５に伝えるバネ取付３６が挿通し、その外側に連結レバー３５の端部が挿通して止め輪３８にて抜け止めされる。
また、加熱庫１０の前側底部左右にバネ掛部１２が設けられ、一端をこのバネ掛部１２に止着され、他端をバネ取付３６に係止される引っ張りバネ１３が設けられ、引っ張りバネ１３は、軸７を介して、受皿３０を前進方向へ押し出し付勢する。
尚、引っ張りバネ１３の力は、後述するように、グリル扉１８を開くのに充分な力に設定されると共に、後述する板バネ１４に受皿３０の皿段部３１が係止されたときに、その付勢力だけで受皿３０を移動できない力に設定される。
【００２２】
また、加熱庫１０の入口部寄りの底面には、受皿３０の底面に設ける皿段部３１に当接してその受皿３０の前進動（引出し方向）を規制する手前係止部３２が設けられ、受皿３０は加熱庫１０から最大引出された状態でこの手前係止部３２に係止される。
尚、受皿３０は、加熱庫１０の左右両壁面に設けられるガイド部（図略）により左右両端部が受け止めされて進退自在に装着される。
また、この受皿３０を加熱庫１０から取り外す場合には、取手１６をつかんで上に持ち上げ、皿段部３１を手前係止部３２から外して取り外す。
【００２３】
また、加熱庫１０の奥寄りの底面には、受皿３０の底面の皿段部３１に当接してその受皿３０の前進動を規制する弾発性ある板バネ１４が、一端をその外底面に止着された状態で底面の切欠穴より出没可能に設けられる。
この板バネ１４は、受皿３０を加熱庫１０に収納させた状態で、受皿３０が不用意に加熱庫１０より飛び出すことがないように、受皿３０の皿段部３１を係止する。
【００２４】
次に、このようなグリル１における受皿３０の収納、引き出し動作を説明する。
取手１６をつかんで受皿３０を加熱庫１０より引き出すと、受皿３０の皿段部３１が加熱庫１０の板バネ１４から外れて引き出され、受皿３０が加熱庫１０底面をスライドし、載置された焼網２０が同時に引き出される。
後方の焼網支持枠６Ｂは、下部ガイド枠６ａが引き出し途中で係止部８ｃに係止されることにより、引き出しにつれて反時計方向に回動する（図２の（Ａ）→（Ｂ））。
そして、焼網支持枠６Ｂは、支点軸６ｂを中心にしてストッパー３ｇに規制される角度まで回動することにより、焼網２０を載せた段部６ｄを受皿３０の真上から斜め前方まで移動する。
この場合に、連動アーム１５は前後の焼網支持枠６Ａ、６Ｂをリンクしているため、焼網２０の載置面は、水平に保たれながら手前に移動して低くなる。
また、後方の焼網支持枠６Ｂがストッパー３ｇによる規制角度まで回動すると、係止部８ｃによる下部ガイド枠６ａへの係止が外れる。
更に、受皿３０を引き出すと、連結レバー３５に働く引っ張りバネ１３の付勢力により、軸７の当接押部７ａが受皿３０の後部に当接したまま受皿３０と共に前方に移動し、ローラ９ｂ、９ｂが長溝孔４０内を前進する（図２の（Ｂ）→（Ｃ））。
同時に、連結レバー３５の前進動によりグリル扉１８は押され、掛止ピン１８ｃを支点として図１の（イ）から（ロ）のように回動されて開けられ、受皿３０のスライド途中で全開し、加熱庫１０の前部入口部上方に回動されて収納される。
グリル扉１８が全開になると、軸７の当接押部７ａは前進できなくなり、受皿３０を引き出すにつれて、受皿３０は、軸７の当接押部７ａから離れ、加熱庫１０の手前係止部３２に受皿３０の皿段部３１を係止する位置まで焼網２０と共に一体的に引き出される。
【００２５】
逆に、受皿３０を引き出した状態から取手１６を押し込むと、まず、受皿３０が後方にスライドして受皿３０の後部が加熱庫１０の後方寄り位置で軸７の当接押部７ａに当接する。更にこのまま、加熱庫１０の奥方向に受皿３０を押し込むと、軸７を介した押し込み力により、引っ張りバネ１３の付勢力に抗しながら受皿３０と共に連結レバー３５が後退する。
このために、グリル扉１８は掛止ピン１８ｃを支点として、今度は図１の（ロ）から（イ）の方向に回動される。
また、受皿３０が加熱庫１０内へ送入されていくにつれて、後方の焼網支持枠６Ｂの下部ガイド枠６ａが固定金具８のテーパ状の当接部８ｂに当接し、押し込み力により固定金具８の当接部８ｂのテーパ面を滑りながら回動作用し、焼網支持枠６Ｂは時計回りの方向に回動される。
更に、焼網支持枠６Ｂの段部６ｄが斜め前方から支点軸６ｂのほぼ真上になる位置まで回動され、焼網２０が上方に移動される。
また、押し込み終端位置で下部ガイド枠６ａが固定金具８の水平案内部８ｄに滑り込むと、焼網２０の位置が上方に保たれながら下部ガイド枠６ａに働く回動力が解消される。（図２の（Ｂ）→（Ａ））。
同時にこの位置でグリル扉１８は加熱庫１０の入口部を全閉する（図１の（イ））。
【００２６】
このように、受皿３０の押し込み時に、固定金具８当接部８ｂがテーパ状に形成されていることによって、下部ガイド枠６ａと当接部８ｂとの当接衝撃が緩和される。
また、押し込み終端位置で、下部ガイド枠６ａが当接部８ｂを滑りながら水平案内部８ｄに滑り込むと、焼網２０の位置が上方に保たれつつ下部ガイド枠６ａに働く回動力が解消される。
従って、受皿３０の押し込み時に、たとえ、速い押し込み操作をしても、焼網２０の飛び跳ねが防止される。
【００２７】
そして、焼網２０は、受皿３０が加熱庫１０内に収納される時に、載置面前部が加熱庫１０の入口部１０ａを通過してから加熱庫１０の後方寄り位置まで押し込まれると、受皿３０に対して焼網２０の載置面が水平に保たれながら後方に移動しつつ加熱庫１０の上方に移動する。
また、段部６ｄに載置された焼網２０が上方に移動すると同時に、受皿３０の皿段部３１が加熱庫１０の板バネ１４に係止され、受皿３０を加熱庫１０内に納めた状態が保持される。
【００２８】
次に、加熱調理について説明する。
燃焼中には、高温の燃焼排ガスが加熱庫１０上部にたまり、加熱庫１０後方の連通口７０へあふれてから、ドラフト効果により排気室６０内を上昇する。
この場合に、連通口７０の開口部上端より少し高い位置となる焼網２０の載置面に置かれた調理物は、加熱庫１０上部に充満する高温の燃焼排ガスの対流に包まれる燃焼熱によって、隅々まで加熱されて良好に調理される。
つまり、調理物は、焼網２０を昇降する昇降機構により、加熱庫１０の上方に熱気がこもる高温帯内に保持されるので効率よく加熱調理される。
【００２９】
以上説明したように、本実施形態のガスグリルによれば、受皿３０の押し込み途中で固定金具８の当接部８ｂが焼網支持枠６の下部ガイド枠６ａに当接して回動されることにより焼網２０を上昇させ、引き出し途中で固定金具８の係止部８ｃが下部ガイド枠６ａに当接して焼網支持枠６が回動されることにより焼網２０を降下させる。
殊に、受皿３０の押し込み時には、下部ガイド枠６ａに当接する当接部８ｂがテーパ状に形成されており、速い押し込み操作をしても、焼網支持枠６Ｂの下部ガイド枠６ａが当接部８ｂのテーパ面を滑りながら回動し、押し込み終端位置で水平案内部８ｄが下部ガイド枠６ａを水平に案内して回動力を解消するため、下部ガイド枠６ａと当接部８ｂとの当接衝撃が緩和される。
従って、受皿３０の出し入れに伴い、焼網２０を確実に昇降させることができると共に、受皿３０の押し込み時に、焼網２０の飛び跳ねが防止される。
【００３０】
また、引き出される受皿３０に対して焼網２０が前方に移動しつつ焼網２０の載置面が低くなるので、調理物の出し入れおよび返しが容易になる、
例えば、図１と従来例を示す図５とを比較すると、グリル扉１８からの引き出し長さがＬ２→Ｌ１、入口部１０ａ上端までの高さがＨ２→Ｈ１と大きくなるので、調理物の出し入れおよび返しが容易になる。
【００３１】
また、焼網２０上に調理物を載せて加熱庫１０内に受皿３０を収納すると、取り出し時には低い位置にあった焼網２０は、調理物全体が加熱庫１０の上部側に形成された高温帯に入るのに充分な高さまで押し上げられるため、厚みのある調理物でも調理物を効率よく加熱調理することができる。
しかも、バーナ４１の輻射熱により直接受皿３０が加熱されないため、受皿３０に溜まった焼脂が過熱して発火することがなく、受皿３０に水を張る必要がなくなり、グリル１の取り扱いが極めて簡便となる。
【００３２】
更に、受皿３０の収納完了直前または引き出し直後の位置、即ち、受皿３０が加熱庫１０の奥位置にある場合に、焼網２０が昇降して所定位置に保持されるので、厚みのある調理物であっても出し入れ途中で加熱庫１０の入口部１０ａに引っ掛かることなく、受皿３０の出し入れを円滑に行うことができる。
【００３３】
以上、本発明の実施形態について説明したが、本発明はこうした実施形態に何等限定されるものではなく、本発明の趣旨を逸脱しない範囲において、種々なる態様で実施し得ることは勿論である。
例えば、バーナ４１は、調理物を裏返す必要のない両面焼用のバーナであっても良い。あるいは、他の燃焼方式のバーナであっても良い。
【００３４】
また、熱気を加熱庫１０にこもらせて加熱調理するのではなく、バーナの輻射熱により直接に調理物を加熱調理するグリルであっても良い。
【００３５】
尚、実施形態では、立設面３ａおよびそれに支持される焼網支持枠６Ａ、６Ｂと連動アーム１５とが本発明の「昇降機構」に対応し、後方の焼網支持枠６Ｂの下部ガイド枠６ａが「回動作用部」に、固定金具８の当接部８ｂが「当接手段」に、当接部８ｂのテーパ面と水平案内部８ｄとが「衝撃緩和手段」に対応する。
【００３６】
【発明の効果】
以上詳述したように、本発明の請求項１のガスグリルによれば、受皿の出し入れに伴って、焼網を確実に昇降させることができ、受皿の押し込み時に、回動作用部と当接部とが当接する衝撃が吸収されることによって、焼網の飛び跳ねが防止されるという優れた効果を奏する。
また、焼網の昇降により、受皿を引き出した時に、受皿に対して焼網が手前に移動して載置面が低くなるので、厚みのある調理物でも出し入れ及び裏返しを円滑に行うことができる。
更に、加熱庫内にバーナの燃焼排気をこもらせて加熱調理するグリルに適用した場合には、調理物全体が高温帯に入るのに充分な高さに調理物を保持して調理物全体を効率よく加熱調理できる。
【００３７】
また、本発明の請求項２のガスグリルによれば、受皿の押し込み時に、焼網を上昇させることができると共に、押し込み終端位置で回動力が解消されるため、焼網の飛び跳ねが防止される。
【図面の簡単な説明】
【図１】本発明の第１実施形態に係るガスグリルの概略図である。
【図２】第１実施形態としての回動部の動作を示す拡大図である。
【図３】第１実施形態としての分解斜視図である。
【図４】支え板近傍を拡大して示す分解斜視図である。
【図５】従来のガスグリルの概略図である。
【図６】ガスグリルの外観図である。
【符号の説明】
焼網支持枠          ６
軸                  ７
ローラ              ９ａ、９ｂ
加熱庫            １０
連動アーム        １５
取手              １６
焼網              ２０
受皿              ３０
皿段部            ３１
手前係止部        ３２
長溝孔            ４０
バーナ            ４１
【図１】
0004162796.tif 000002
【図２】
0004162796.tif 000003
【図３】
0004162796.tif 000004
【図４】
0004162796.tif 000005
【図５】
0004162796.tif 000006
【図６】
0004162796.tif 000007